(57)【要約】【課題】  簡単な操作で、操作部から離間された部分の長さや通気量の調整を行い、快適に着用または使用することができる摺動式調整具を提供する。【解決手段】  衣類や身の回り品等の製品の生地１１に取り付けられたスライドファスナー１２と、スライドファスナー１２に摺動可能に取り付けられたスライダ１６，２２とスライダ１６，２２に一端部が取り付けられ他端部がスライドファスナー１２から離間した生地１１の一部または生地１１とは別部材に取り付けられている紐体３０を備える。スライダ１６，２２をスライドファスナー１２に沿って移動させると、紐体３０が移動し紐体３０の他端部が取り付けられた生地１１等の部材が移動して大きさや形、位置を調整することができる。スライダ１６，２２は、互いにスライドファスナー１２のエレメント１４を開く部分を対向させ閉じる部分を摺動方向前後に位置させてなる。【選択図】図１
2005344228.tif 000002
【特許請求の範囲】
【請求項１】
製品の生地に取り付けられた摺動用レールと、上記摺動用レールに摺動可能に取り付けられた摺動部材と、上記摺動部材に一端部が取り付けられ他端部が上記摺動用レールから離間した上記生地の一部または上記生地とは別部材に取り付けられている紐体が設けられ、上記摺動部材を上記摺動用レールに沿って移動させると上記紐体が移動し、上記紐体の他端部が取り付けられた上記生地または上記生地とは別部材が変形または移動し、上記製品の大きさや形、或いは部材の位置を調整可能としたことを特徴とする摺動式調節具。
【請求項２】
上記摺動用レールはスライドファスナーであり、上記摺動部材はスライドファスナーを開閉する一対のスライダであり、上記一対のスライダは互いに上記スライドファスナーのエレメントを開く部分を対向させ閉じる部分を摺動方向前後に位置させて、上記一対のスライダが一体に設けられていることを特徴とする請求項１記載の摺動式調節具。
【請求項３】
上記紐体の、上記摺動部材と反対の端部は環状になって上記製品の生地の筒状部分に沿って取り付けられ、上記摺動部材を上記摺動用レールに沿って移動させると上記紐体の環状部分が小さくなり、上記生地の筒状部分を絞ることを特徴とする請求項１又は２記載の摺動式調節具。
【請求項４】
上記紐体の、上記摺動部材と反対の端部は、上記生地に設けられた通気口の周縁部に設けられた通気用スライドファスナーを開閉する通気用スライダに連結されていることを特徴とする請求項１又は２記載の摺動式調節具。
【請求項５】
上記生地には収容空間が設けられ、上記紐体の、上記摺動部材と反対の端部は、上記収容空間に挿通され、上記生地とは別部材であって上記収容空間に収容される被収容物に連結されていることを特徴とする請求項１又は２記載の摺動式調節具。
【請求項６】
上記生地には袋状のポケットが設けられ、上記紐体の、上記摺動部材と反対の端部は、上記ポケットの一部に連結されていることを特徴とする請求項１又は２記載の摺動式調節具。
【請求項７】
上記生地には上記製品を緊締する部材が設けられ、上記紐体の、上記摺動部材と反対の端部は、上記製品を緊締する部材に連結されていることを特徴とする請求項１又は２記載の摺動式調節具。
【請求項８】
上記生地には帯状の保持部材がその一端部を突没自在として設けられ、上記紐体の、上記摺動部材と反対の端部は上記生地の内側に挿通され、上記保持部材の上記生地の内側に位置する部分に連結されていることを特徴とする請求項１又は２記載の摺動式調節具。
【発明の詳細な説明】
【技術分野】
【０００１】
この発明は、衣服や身の回り品等の小物に取り付けられ、通気量やサイズ、部材の位置等を調整し、衣服等の製品の形を変えるための摺動式調整具に関する。
【背景技術】
【０００２】
従来、衣服や帽子等の身の回り品の小物には、サイズ調整のためにウエスト部や頭周囲部などに紐体が挿通され、紐体に取り付けられた紐止め具を移動させて紐体の長さを調整し、衣服や帽子等を身体にフィットするように調整していた。また、袖や裾の挿通方向に沿って一端が固定され他端が紐止め具に係止され、紐体の長さを縮めて袖や裾のサイズ調整や、通気性の調整を行うものもあった。
【０００３】
また、サイズ調整の紐体をスライドファスナーのスライダに連結し、摺動させてサイズ調整を行うものが、特許文献１に開示されている。これは、スライドファスナーのスライダに紐体が設けられ、この紐体は生地の調整部分に設けられ紐体とほぼ同じ長さの紐通し部に挿通され、紐体の先端部は紐通し部の内側に固定されている。そして、スライダを移動させることにより、スライダの紐体が短くなり、紐体が挿通されている紐通し部に位置する生地が絞られて衣服の長さや大きさを調整することができるものである。
【特許文献１】特開２００４−８４１１５号公報
【発明の開示】
【発明が解決しようとする課題】
【０００４】
上記従来の技術の紐止め具による場合、紐体の絞り量を大きくすると紐体が衣服の外側に延出する部分が長くなり、他の外部の部材に引っかかる恐れがあり、安全性に問題があった。また、紐体の長さを調整する操作は、紐が摺動可能な状態に係止具を保持しながら、紐体を適した長さに引かなければならず、面倒であった。
【０００５】
また、特許文献１に開示された衣服の場合、スライドファスナーに隣接した生地に紐を通して絞るものであり、離れた場所の調節や変形を遠隔操作で行うものではなかった。
【０００６】
この発明は上記従来の技術の問題点に鑑みてなされたものであり、簡単な操作で、操作部から離れた部分の長さや通気量等の調整を行い、快適に着用または使用等を可能とした摺動式調整具を提供することを目的とする。
【課題を解決するための手段】
【０００７】
この発明は、衣類や身の回り品等の製品の生地に取り付けられた摺動用レールと、上記摺動用レールに摺動可能に取り付けられた摺動部材と、上記摺動部材に一端部が取り付けられ他端部が、上記摺動用レールから離間した上記生地の一部、または上記生地に繋がった部材或いは接する部材等、上記生地とは別部材に取り付けられている紐体が設けられ、上記摺動部材を上記摺動用レールに沿って移動させると上記紐体が移動し、上記紐体の他端部が取り付けられた上記生地または上記生地とは別部材が移動し、上記製品の大きさや形、或いは部材の位置を調整することができる摺動式調節具である。
【０００８】
上記摺動用レールはスライドファスナーであり、上記摺動部材はスライドファスナーを開閉する一対のスライダであり、上記一対のスライダは、互いに上記スライドファスナーのエレメントを開く部分を対向させ閉じる部分を摺動方向前後に位置させて一体に設けられている。
【０００９】
また、上記紐体の、上記摺動部材と反対の端部は環状になって上記製品の生地の筒状部分に沿って取り付けられ、上記摺動部材を上記摺動用レールに沿って移動させると上記紐体の環状部分が小さくなり、上記生地の筒状部分を絞る。
【００１０】
また、上記紐体の、上記摺動部材と反対の端部は、上記生地に設けられた通気口の周縁部に設けられた通気用スライドファスナーを開閉する通気用スライダに連結されている。
【００１１】
また、上記生地には収容空間が設けられ、上記紐体の、上記摺動部材と反対の端部は、上記収容空間に挿通され、上記生地とは別部材であって上記収容空間に収容される被収容物に連結されている。上記生地には袋状のポケットが設けられ、上記紐体の、上記摺動部材と反対の端部は、上記ポケットの一部に連結されている。
【００１２】
その他、上記生地には上記製品を緊締可能な長尺部材等が設けられ、上記紐体の、上記摺動部材と反対の端部は、上記長尺部材等の可動部に連結されている。上記長尺部材は、紐や他のスライドファスナー等である。また、上記生地には帯状の保持部材がその一端部を突没自在として設けられ、上記紐体の、上記摺動部材と反対の端部は上記生地の内側に挿通され、上記保持部材の上記生地の内側に位置する部分に連結されているものでも良い。上記保持部材は、例えば鞄の肩掛け紐である。
【発明の効果】
【００１３】
本発明の摺動式調節具は、操作が容易な位置に設けられた摺動部材を、摺動用レールに沿って移動させるという簡単な動作により、この摺動部材から離間した部分の生地やその他の部材が紐体により変形させられ、製品の長さや開口部の大きさ等を自由に変えることができる。これにより、適宜サイズ調整や通気量等の調整を行い、快適に着用や使用をすることができる。また、摺動用レールをスライドファスナーにより構成し、摺動部材を一対のスライダとしたことにより、操作性が良く、スライダを操作しても開口部が形成されず、しかも不用意にスライダが移動しないものである。
【発明を実施するための最良の形態】
【００１４】
以下、この発明の実施形態について図面に基づいて説明する。図１、図２はこの発明の第一実施形態を示すもので、この実施形態の摺動式調整具が取り付けられている製品はスノーボード用のズボン１０であり、ズボン１０は表生地と裏生地が設けられ、表生地１１の所定位置を所望の長さに切断した切断線に沿って、摺動式調整具の摺動用レールであるスライドファスナー１２が縫い付けられている。スライドファスナー１２は、着用者の腿の外側の付け根から腿の中心付近にかけて、下端部が身体の前側に位置するように僅かに傾斜した直線に取り付けられている。
【００１５】
図２は、スライドファスナー１２の表面側（ａ）と裏面側（ｂ）を示したものであり、スライドファスナー１２は一対のファスナーテープ１３に、互いに咬合して閉じ、解除して開く一対のエレメント１４の列が各々設けられている。エレメント１４には、エレメント１４に沿って摺動しエレメント１４を開閉する摺動部材である第一スライダ１６が設けられている。第一スライダ１６は、例えばスライドファスナー１２の、ズボン１０下側に位置する端部１２ａ側が、エレメント１４を閉鎖する閉じ口であり、ズボン１０上側に位置する端部１２ｂ側が、エレメント１４を開く二股状の開き口である。第一スライダ１６の表側面１６ａと裏側面１６ｂには、環状の係止部１８，２０が各々設けられている。
【００１６】
スライドファスナー１２のエレメント１４には、第一スライダ１６の端部１２ｂ側に、第二スライダ２２が設けられている。第二スライダ２２は、端部１２ｂ側がエレメント１４を閉鎖する閉じ口であり、第一スライダ１６側がエレメント１４を開く二股状の開き口である。第二スライダ２２の本体の表側面２２ａには、環状の係止部２４が設けられている。
【００１７】
第一スライダ１６の係止部１８と、第二スライダ２２の係止部２４には、環状の連結部材２６が取り付けられ、第一スライダ１６と第二スライダ２２が一体に連結されている。連結部材２６の中央付近には、操作用の持ち手２８が取り付けられている。
【００１８】
第一スライダ１６の裏側面１６ｂは、ズボン１０の表生地と裏生地の間に位置している。第一スライダ１６の裏側面１６ｂの係止部２０には、図示しない連結用の管状部分を介して紐体３０が取り付けられている。紐体３０は、伸縮性のないものや、ゴム紐などの弾性を有するもの等適宜選択される。紐体３０の一方の端部３０ａが第一スライダ１６の係止部２０に固定され、紐体３０の他方の端部３０ｂは、ズボン１０の表生地と裏生地の間に挿通され、ズボン１０の裾部３２で着用者のかかと側に固定されている。紐体３０の長さは、ズボン１０の表生地と裏生地をしわにならず伸ばした状態で、スライドファスナー１２の端部１２ａと、裾部３２のかかと側を結んだ直線にほぼ等しい。
【００１９】
次に、この実施形態のズボン１０の使用方法について説明する。裾部３２を引き上げずに着用する場合は、図１（ａ）に示すように第一、第二スライダ１６，２２を、スライドファスナー１２のズボン１０下側に位置する端部１２ａ付近に位置させる。すると紐体３０の長さと裾部３２までの距離が等しいため、ズボン１０が絞られず、裾部３２は着用者の足首付近で水平に位置する。また、裾３２を引き上げて着用するときは、持ち手２８を保持して第一、第二スライダ１６，２２をスライドファスナー１２のズボン１０上側に位置する端部１２ｂ付近に移動させる。すると図１（ｂ）に示すように、紐体３０により裾部３２は上方に持ち上げられ、ズボン１０が絞られて着用者のふくらはぎが少し露出する位置まで短くなる。これにより、裾部３２を履いている靴の高さ等に合わせて長さを調整する。
【００２０】
この実施形態のズボン１０によれば、簡単に紐体３０の端部３０ａを移動させ、離れた裾部３２の位置を任意に調整することができる。紐体３０の端部３０ａが取り付けられたスライドファスナー１２は、着用者の腿付近に傾斜して設けられているため、姿勢を変えずに簡単にスライドファスナー１２の第一、第二スライダ１６，２２を移動させることができ、便利である。スライドファスナー１２には、第一スライダ１６と第二スライダ２２が向き合って設けられているため、第一、第二スライダ１６，２２をいずれの方向に移動させてもスライドファスナー１２が開くことがなく、開口部が形成されず外観が良好である。また、第一、第二スライダ１６，２２が一体となって摺動するので、簡単に移動することがなく、不用意に裾部３２が下がったりすることがない。ズボン１０は、例えばスノーボード用のスキーパンツで裾が長いデザインのものであり、スキーブーツを脱いで歩行する場合等は、裾を踏んだり床を引きずることがあるが、かかと付近の裾部３２を短くすることにより、これを防ぐことができる。
【００２１】
次に、この発明の第二実施形態について図３に基づいて説明する。ここで、上記実施形態と同様の部材は、同一の符号を付して説明を省略する。この実施形態の摺動式調整具が取り付けられている製品はズボン３４であり、ズボン３４の膝の外側付近の生地１１に摺動式調整具のスライドファスナー１２が設けられている。スライドファスナー１２は身体の縦方向に沿って取り付けられ、スライドファスナー１２の長さは、膝付近からふくらはぎの中ほどに達するものである。スライドファスナー１２には、図示しない第一スライダと第二スライダが連結部材で連結されて設けられ、連結部材には操作用の持ち手２８が取り付けられている。
【００２２】
第一スライダの裏面の係止部には、図示しない連結用の管状部分を介して紐体３５が取り付けられている。紐体３５の端部３５ａは、ズボン３４のインナーカフ３６の裾部３８に達し、紐通し具３９に挿通されてインナーカフ３６の裾部３８を一周する環状に設けられている。
【００２３】
次にこの実施形態のズボン３４の使用方法について説明する。インナーカフ３６の裾部３８を絞らずに着用する場合は、図３（ａ）に示すように、持ち手２８をスライドファスナー１２のズボン３４下側に位置する端部１２ａ付近に位置させる。すると紐体３５とインナーカフ３６の裾部３８までの長さが等しいため、インナーカフ３６が絞られず、裾部３８は着用者の足首付近で水平に位置する。そしてインナーカフ３６の裾部３８を絞って着用するときは、持ち手２８をスライドファスナー１２の上側に位置する端部１２ｂ付近に移動させ、図３（ｂ）に示すように、紐体３５でインナーカフ３６の裾部３８を絞る。これにより、インナーカフ３６の裾部３８が着用者の足首に密着し、防寒・防水機能が向上する。また、絞り量を変えて通気量を調整する。
【００２４】
この実施形態のズボン３４によれば、簡単な操作で離れたインナーカフ３６の裾部３８を絞り、防寒・防水機能や通気性を調整することができる。紐体３５の端部３５ａが取り付けられたスライドファスナー１２は、ズボン３４の外側で着用者の膝付近に設けられているため、ズボン３４をめくりあげてインナーカフ３６を露出させる必要がなく、姿勢を変えずに簡単にインナーカフ３６の絞り量を調整することができ、便利である。
【００２５】
次に、この発明の第三実施形態について図４に基づいて説明する。この実施形態の摺動式調整具が取り付けられている製品はバイク用等のジャケット４０であり、ジャケット４０の身体前側の生地には、左右の胸に摺動式調整具である一対の第一スライドファスナー４２が設けられている。第一スライドファスナー４２は身体の縦方向に沿って取り付けられ、第一スライドファスナー４２の長さは、胸のやや上部からみぞおち付近に達するものである。各第一スライドファスナー４２には、第一スライダ４６と第二スライダ４８が連結部材２６で連結されて一体に設けられ、連結部材２６には操作用の持ち手５０が取り付けられている。第一スライダ４６は、第一スライドファスナー４２の、ジャケット４０上側に位置する端部４２ｂ側に位置し、第二スライダ４８は、反対の端部４２ａ側に位置する。
【００２６】
ジャケット４０の身体後側には、左右の肩甲骨付近に一対の通気口５２が設けられている。通気口５２は身体の縦方向に表生地を切断して取り付けられ、通気口５２の長さは、肩の後ろ側から肩甲骨の下端部付近に達するものである。各通気口５２は、切断した表生地の内側にメッシュ生地等を貼り合わせてもよい。各通気口５２の両側縁部には通気用スライドファスナー５４が各々設けられ、通気用スライドファスナー５４には、各々第二スライダ５６が設けられている。第二スライダ５６は、通気用スライドファスナー５４の上側に位置する端部５５ｂ側が、エレメント１４を閉鎖する閉じ口であり、下側に位置する端部５４ａ側が、エレメント１４を開く二股状の開き口である。
【００２７】
そして、ジャケット４０の身体後側の通気口５２の下には、各々第二スライドファスナー５８が設けられている。各第二スライドファスナー５８は身体の縦方向に沿って取り付けられ、第二スライドファスナー５８の長さは、肩甲骨の少し下から腰付近に達するものである。各第二スライドファスナー５８には、第一スライダ６０と第二スライダ６２が連結部材２６で連結されて一体に設けられ、連結部材２６には操作用の持ち手６４が取り付けられている。第一スライダ６０は、第二スライドファスナー５８の、ジャケット４０上側に位置する端部５８ｂ側に位置し、第二スライダ６２は、反対の端部５８ａ側に位置する。
【００２８】
第一スライドファスナー４２の第一スライダ４６の裏側面の係止部には、図示しない連結用の管状部分を介して第一紐体６６が取り付けられている。第一紐体６６の端部６６ａは、ジャケット４０の肩部分を通過して身体後側に達し、通気口５２の通気用スライドファスナー５４に取り付けられた第二スライダ５６に連結されている。第二スライダ５６には、第二紐体６８も連結され、第二紐体６８はジャケット４０の下側へ延出し、第二スライドファスナー５８の第一スライダ６０に連結されている。
【００２９】
次に、この実施形態のジャケット４０の使用方法について説明する。ジャケット４０を、通気口５２を閉鎖した状態で着用する場合は、第一スライドファスナー４２の第一スライダ４６と第二スライダ４８は、第一スライドファスナー４２の、ジャケット４０上側に位置する端部４２ｂ側に位置し、通気用スライドファスナー５４の第二スライダ５６はジャケット４０下側に位置する端部５４ａ側に位置し、通気用スライドファスナー５４を閉鎖している。なお、このとき第二スライドファスナー５８の第一スライダ６０はジャケット４０下側の端部５８ａ側に位置している。
【００３０】
ジャケット４０の通気口５２を開口する場合は、第一スライドファスナー４２の持ち手５０を保持して、第一スライダ４６と第二スライダ４８を第一スライドファスナー４２の、ジャケット４０下側の端部４２ａ付近に移動させる。すると第一スライダ４６に伴って第一紐体６６が身体前側に移動し、通気用スライドファスナー５４の第二スライダ５６が、ジャケット４０上側の端部５４ｂ付近に移動し、通気用スライドファスナー５４を開け、通気口５２を開口し通気を確保する。このとき、第二スライドファスナー５８の第一スライダ６０と第二スライダ６２は、通気用スライドファスナー５４の第二スライダ５６に取り付けられた第二紐体６８に引き上げられて、第二スライドファスナー５８の、ジャケット４０上側の端部５８ｂ付近に移動される。
【００３１】
そして通気口５２を閉鎖する場合は、第二スライドファスナー５８の、持ち手６４を保持して第一スライダ６０と第二スライダ６２を第二スライドファスナー５８の、ジャケット４０下側の端部５８ａ付近に移動させる。すると第一スライダ６０に伴って第二紐体６８が下側に移動し、通気用スライドファスナー５４の第二スライダ５６が端部５４ｂ付近に移動して通気用スライドファスナー５４を締め、通気口５２を閉鎖し通気を遮断する。このとき、第一スライドファスナー４２の第一スライダ４６と第二スライダ４８は、通気用スライドファスナー５４の第二スライダ５６に取り付けられた第一紐体６６に引き上げられて、第一スライドファスナー４２の端部４２ｂ付近に移動する。なお、通気口５２を半分閉めたいときは、第二スライドファスナー５８の、第一スライダ６０と第二スライダ６２を第二スライドファスナー５８の途中で止める。
【００３２】
この実施形態のジャケット４０によれば、胸や腰に設けられた持ち手５０，６４を移動させて簡単に通気口５２を開閉することができる。通気口５２は肩甲骨付近の、手が届きにくい場所に設けられているが、持ち手５０，６４は、第一紐体６６、第二紐体６８で通気口５２の通気用スライドファスナー５４の第二スライダ５６に連結されているため、遠隔操作が可能で、ジャケット４０を着用したまま、快適な通気量を調整することができる。
【００３３】
次に、この発明の第四実施形態について図５に基づいて説明する。この実施形態の摺動式調整具が取り付けられている製品はジャケット７０であり、ジャケット７０の身体前側の生地には、左右の胸にそれぞれ裾部用スライドファスナー７２と、襟部用スライドファスナー７４が設けられている。裾部用スライドファスナー７２と、襟部用スライドファスナー７４は身体の縦方向に沿って取り付けられ、襟部用スライドファスナー７４が身体の前中心側に位置している。襟部用スライドファスナー７４の長さは、胸のやや上部から胸の中心付近に達するものである。襟部用スライドファスナー７４には図示しない第一スライダと第二スライダが連結部材で連結されて一体に設けられ、連結部材には操作用の持ち手７６が取り付けられている。持ち手７６には、第一スライダを介して襟部用紐体７８が連結され、襟部用紐体７８の先端はジャケット７０の襟部８０の上端部で着用者の首の左右の横付近にそれぞれ連結されている。
【００３４】
また、裾部用スライドファスナー７２の長さは、胸のやや上部からみぞおち付近に達するもので襟部用スライドファスナー７４よりも長く形成され、図示しない第一スライダと第二スライダが連結部材で連結されて設けられ、連結部材には操作用の持ち手８２が取り付けられている。持ち手８２には、第一スライダを介して裾部用紐体８４が連結され、裾部用紐体８４の先端はジャケット７０の裾部８６で着用者の腰の左右の横付近にそれぞれ連結されている。
【００３５】
ジャケット７０の袖部には、左右の上腕部分にそれぞれ袖口用スライドファスナー８８が設けられている。袖口用スライドファスナー８８は腕の縦方向に沿って取り付けられ、長さは、腕の付け根から上腕部の途中に達するものである。袖口用スライドファスナー８８には図示しない第一スライダと第二スライダが連結部材で連結されて設けられ、連結部材には操作用の持ち手９０が取り付けられている。持ち手９０には、第一スライダを介して袖口用紐体９２が連結され、袖口用紐体９２の先端はジャケット７０の袖口９４の手の甲側にそれぞれ連結されている。
【００３６】
次に、この実施形態のジャケット７０の使用方法について説明する。襟部８０を引き下げずに着用する場合は、持ち手７６を襟部用スライドファスナー７４の上端部に位置させ、襟部８０を引き下げる場合は、持ち手７６を襟部用スライドファスナー７４の下端部に移動させ、襟部用紐体７８により襟部８０を引き下げる。裾部８６引き上げずに着用する場合は、持ち手８２を裾部用スライドファスナー７２の下端部に位置させ、裾部８６を引き上げる場合は、持ち手８２を裾部用スライドファスナー７２の上端部に移動させ、裾部用紐体８４により裾部８６を引き上げる。袖口９４を引き上げずに着用する場合は、持ち手９０を袖口用スライドファスナー８８の下端部に位置させ、袖口９４を引き上げる場合は、持ち手９０を袖口用スライドファスナー８８の下端部に移動させ、袖口用紐体９２により袖口９４を引き上げる。
【００３７】
この実施形態のジャケット７０によれば、胸や腕に設けられた持ち手７６，８２，９０を移動させて簡単に襟部８０、裾部８６、袖口９４を引き上げることができ、気温に合わせた通気の調節やデザインの変更をすることができる。持ち手７６，８２，９０は胸や腕など手が簡単に届く位置に設けられ、操作性が良好であり、ジャケット７０を着用したまま、快適な通気量を調整することができる。
【００３８】
次に、この発明の第五実施形態について図６に基づいて説明する。この実施形態の摺動式調整具が取り付けられている製品はジャケット９６であり、ジャケット９６の左脇腹付近の生地にスライドファスナー９８が設けられている。スライドファスナー９８は身体の縦方向に沿って取り付けられ、図示しない第一スライダと第二スライダが連結部材で連結されて設けられ、連結部材には操作用の持ち手１００が取り付けられている。持ち手１００には第一スライダを介して紐体１０２が取り付けられている。紐体１０２の他方の端部１０２ａは、ジャケット９６の胴体部分のインナーカフ１０４に達し、紐通し具１０６に挿通されてインナーカフ１０４のウエスト部１０８を一周する環状に設けられている。
【００３９】
次にこの実施形態のジャケット９６の使用方法について説明する。インナーカフ１０４のウエスト部１０８を絞らずに着用する場合は、図６（ａ）に示すように持ち手１００をスライドファスナー９８の下端部に位置させる。すると紐体１０２とインナーカフ１０４のウエスト部１０８までの長さが等しいため、インナーカフ１０４が絞られず、ウエスト部１０８は着用者の腰付近で水平に位置する。そしてインナーカフ１０４のウエスト部１０８を絞って着用するときは、持ち手１００をスライドファスナー９８の上端部に移動させ、図６（ｂ）に示すように、紐体１０２でインナーカフ１０４のウエスト部１０８を絞る。これにより、インナーカフ１０４のウエスト部１０８が着用者の足首に密着し、防寒・防水機能を向上させる。
【００４０】
この実施形態のジャケット９６によれば、簡単な操作で離れたインナーカフ１０４のウエスト部１０８を絞り、防寒・防水機能や通気性を調整することができる。紐体１０２が取り付けられたスライドファスナー９８は、ジャケット９６の外側で着用者の左脇腹部に設けられているため、ジャケット９６をめくりあげてインナーカフ１０４を露出させる必要がなく、姿勢を変えずに簡単にインナーカフ１０４の絞り量を調整することができ、便利である。
【００４１】
次に、この発明の第六実施形態について図７に基づいて説明する。この実施形態の摺動式調整具が取り付けられている製品はジャケットであり、調整される対象がパスケース１２０である。まず、パスケース１２０を取り付けるジャケットには、第一表生地１１０と、第一表生地１１０の外側を覆い、第一表生地１１０の所定位置から上方に重ねられる第二表生地１１２が設けられている。第二表生地１１２の下端部１１２ａは、ほぼ水平に設けられ第一表生地１１０に縫い付けられておらず、フラップのように形成されている。そして、第一表生地１１０と第二表生地１１２の間には薄い収容空間が設けられ、上方の第二表生地１１２には、スライドファスナー１１４が設けられている。スライドファスナー１１４は身体の縦方向、つまり第二表生地１１２の下端部１１２ａに対してほぼ直角に設けられている。スライダファスナー１１４には、図示しない第一スライダと第二スライダが連結部材で一体に連結されて設けられ、連結部材には操作用の持ち手１１６が取り付けられている。
【００４２】
持ち手１１６には第一スライダを介して紐体１１８が取り付けられている。紐体１１８は第一表生地１１０と第二表生地１１２の間に挿通されている。紐体１１８の下端部１１８ａには、薄形のパスケース１２０が取り付けられ、第一表生地１１０と第二表生地１１２の間の収容空間に収容されている。
【００４３】
次に、この実施形態のパスケース１２０の使用方法について説明する。例えば、パスケース１２０の中に、スキー場のリフト券や遊園地の乗車券を入れる。そしてパスケース１２０を係員などに見せるときは、図７（ａ）に示すように持ち手１１６をスライドファスナー１１４の下端部に位置させる。するとパスケース１２０が第二表生地１１２の下端部１１２ａから下側に露出し、パスケース１２０を係員に見せる。そしてパスケース１２０をしまうときは、持ち手１１６をスライドファスナー１１４の上端部に移動させ、図７（ｂ）に示すように、パスケース１２０を第二表生地１１２の内側に引き上げ、収容する。
【００４４】
この実施形態の摺動式調整具によれば、持ち手１１６を移動させる簡単な操作により、パスケース１２０を第二表生地１１２から出し入れすることができる。また、持ち手１１６を移動させるだけなので、スキーグローブなどを手にはめていても簡単にパスケース１２を見せ、また確実に収容することができ、リフト券や乗車券を紛失することを防ぎ、他の部材に引っかかったりする事故も防ぐ。
【００４５】
次に、この発明の第七実施形態について図８、図９に基づいて説明する。この実施形態の摺動式調整具が取り付けられているものはジャケット等に取り付けられたポケット１２２であり、ポケット１２２が取り付けられるジャケットの表生地１２４には、ポケット１２２の入口１２３となる開口部が設けられ、この開口部はほぼ水平に設けられ、開口部の両側縁部に、表生地１２４の裏側に位置する袋状のポケット１２２の開口縁部が縫い付けられている。
【００４６】
表生地１２４のポケット１２２の少し上には、スライドファスナー１２６が設けられている。スライドファスナー１２６は身体の縦方向、つまりポケット１２２の入口１２３に対してほぼ直角に設けられ、スライドファスナー１２６には図示しない第一スライダと第二スライダが連結部材で連結されて設けられ、連結部材には操作用の持ち手１２８が取り付けられている。持ち手１２８には第一スライダを介して紐体１３０が取り付けられている。紐体１３０は表生地１２４の裏面側に挿通され、紐体１３０の下端部１３０ａは、ポケット１２２の、表生地１２４の開口部の一対の側縁部のうち上側に位置する側縁部に縫い付けられた部分に、固定されている。
【００４７】
次に、この実施形態のポケット１２２の使用方法について説明する。例えば、ポケット１２２の中に、例えば携帯電話１３２を入れる。携帯電話１３２をポケット１２２に入れているときは、図８（ａ）、図９（ａ）に示すように持ち手１２８をスライドファスナー１２６の下端部に位置させる。そして携帯電話１３２をポケット１２２から出すときは、図８（ｂ）、図９（ｂ）に示すように、持ち手１２８をスライドファスナー１２６の上端部に移動させ、紐１３０が移動してポケット１２２の表生地１２４の開口部の一対の側縁部のうち上側に位置する側縁部に縫い付けられた部分が引き上げられ、ポケット１２２が浅くなり、携帯電話１３２が持ち上がって入口１２３から突出する。携帯電話１３２の突出した部分を手で保持して携帯電話１３２を取り出す。
【００４８】
この実施形態のポケット１２２によれば、持ち手１２８を移動させる簡単な操作により、ポケット１２２から内容物である携帯電話１３２等を突出させて簡単に取り出すことができる。持ち手１２８を移動させるだけなので、スキーグローブなどを手にはめていても簡単に取り出しや収容を行うことができる。
【００４９】
次に、この発明の第八実施形態について図１０に基づいて説明する。この実施形態の摺動式調整具が取り付けられているものは帽子１３４であり、帽子１３４の後頭部付近の生地の縁部１３４ａに、スライドファスナー１３６が設けられている。スライドファスナー１３６は帽子１３４の縁部１３４ａに沿ってほぼ水平に取り付けられ、図示しない第一スライダと第二スライダが連結部材で連結されて設けられ、連結部材には操作用の持ち手１３８が取り付けられている。持ち手１３８には第一スライダを介して紐体１４０が取り付けられている。紐体１４０の端部１４０ａは、帽子１３４の縁部１３４ａ近傍でスライドファスナー１３６から所定距離離れた位置に取り付けられている。紐体１４０は、帽子１３４の裏面側の図示しない紐通し部に挿通されてもよい。
【００５０】
この実施形態の帽子１３４の使用方法は、先ず帽子１３４をかぶるときは、図１０（ａ）に示すように持ち手１３８をスライドファスナー１３６の図面上左端部に位置させる。すると紐体１４０と帽子１３４の縁部１３４ａの長さが等しいため、帽子１３４の縁部１３４ａは絞られない。そして帽子１３４のサイズが大きいときは、持ち手１３８をスライドファスナー１３６の右端部に移動させ、図１０（ｂ）に示すように、紐体１４０で帽子１３４の縁部１３４ａを絞る。
【００５１】
この実施形態の帽子１３４によれば、持ち手１３８を移動させる簡単な操作により、帽子１３４の縁部１３４ａを絞り、帽子１３４を着用者の頭部に密着させてかぶることができ、落下を防ぎ快適に着用することができる。
【００５２】
次に、この発明の第九実施形態について図１１に基づいて説明する。この実施形態の摺動式調整具が取り付けられているものは帽子１４２であり、帽子１４２の生地の縁部１４２ａより少し上方の後頭部付近に、スライドファスナー１４４が設けられている。スライドファスナー１４４は帽子１４２の縁部１４２ａに対してほぼ平行で水平に取り付けられ、図示しない第一スライダと第二スライダが連結部材で連結されて設けられ、連結部材には操作用の持ち手１４６が取り付けられている。持ち手１４６には第一スライダを介して紐体１４８が取り付けられている。紐体１４８の端部１４８ａは、帽子１４２の縁部１４２ａの内側に設けられたインナーカフ１５０に達し、紐通し具１５２に挿通されてインナーカフ１５０の縁部１５０ａを一周する環状に設けられている。
【００５３】
この実施形態の帽子１４２の使用方法は、先ず帽子１４２をかぶるときは、図１１（ａ）に示すように持ち手１４６をスライドファスナー１４４の図面上左端部に位置させる。すると紐体１４８とインナーカフ１５０の縁部１５０ａの長さが等しいため、インナーカフ１５０の縁部１５０ａは絞られない。そしてインナーカフ１５０を頭部に密着させるときは、持ち手１４６をスライドファスナー１４４の右端部に移動させ、図１１（ｂ）に示すように、紐体１４８でインナーカフ１５０の縁部１５０ａを絞る。
【００５４】
この実施形態の帽子１４２によれば、簡単に持ち手１４６を移動させて帽子１４２のインナーカフ１５０の縁部１５０ａを絞り、インナーカフ１５０を着用者の頭部に密着させてかぶることができ、落下を防ぎ、また防寒性と防水性が向上し快適に着用することができる。
【００５５】
次にこの発明の第十実施形態について図１２に基づいて説明する。この実施形態の摺動式調整具が取り付けられているものは寝袋１５４であり、寝袋１５４の生地の上半身の図面上左側に、第一スライドファスナー１５６が設けられ、第一スライドファスナー１５６は身体の縦方向に沿って取り付けられている。第一スライドファスナー１５６には、第一スライダと第二スライダが連結部材で連結されて設けられ、連結部材には操作用の持ち手１５８が取り付けられている。
【００５６】
寝袋１５４の足側の先端部には、先端部の形状に添う円弧状の通気口１６０が設けられている。通気口１６０は寝袋１５４の生地に切断線を形成して設けられ、切断線の両側縁部には、通気用スライドファスナー１６２が設けられ、通気用スライドファスナー１６２には開閉用スライダ１６４が設けられている。開閉用スライダ１６４は、通気用スライドファスナー１６２の図面上左に位置する端部１６２ａ側が、通気用スライドファスナー１６２のエレメントを開く二股状の開き口であり、右側の端部１６２ｂ側が、エレメントを閉鎖する閉じ口である。
【００５７】
そして、寝袋１５４の上半身の図面上右側に、第二スライドファスナー１６６が設けられている。第二スライドファスナー１６６は身体の縦方向に沿って取り付けられている。第二スライドファスナー１６６には、第一スライダと第二スライダが連結部材で連結されて設けられ、連結部材には操作用の持ち手１６８が取り付けられている。
【００５８】
第一スライドファスナー１５６の持ち手１６０には、第一スライダを介して第一紐体１７０が取り付けられている。第一紐体１７０の端部１７０ａは、通気用スライドファスナー１６２の開閉用スライダ１６４に連結されている。開閉用スライダ１６４には、第二紐体１７２も連結され、第二紐体１７２の端部１７２ａは、第二スライドファスナー１６６の持ち手１６８に、第一スライダを介して連結されている。なお、第一スライドファスナー１５６の持ち手１６０と第二スライドファスナー１６６の持ち手１６８は、寝袋１５４の裏面側に設けられても良い。
【００５９】
次にこの実施形態の寝袋１５４の使用方法について説明する。寝袋１５４を、通気口１６０を閉鎖した状態で使用する場合は、第一スライドファスナー１５６の持ち手１６０は、第一スライドファスナー１５６の上端部に位置し、通気用スライドファスナー１６２の開閉用スライダ１６４は通気用スライドファスナー１６２の左の端部１６２ａに位置し、通気用スライドファスナー５４を閉鎖している。
【００６０】
寝袋１５４の通気口１６０を開口する場合は、第二スライドファスナー１６６の持ち手１６８を、第二スライドファスナー１６６の上端部に移動させる。すると開閉用スライダ１６４が第二紐体１７２に引かれて、通気用スライドファスナー１６６の右の端部１６２ｂに移動し、通気用スライドファスナー１６２を開け、通気口１６０を開口し、通気を確保する。このとき、第一スライドファスナー１５６の持ち手１６０は、通気用スライドファスナー１６２の開閉用スライダ１６４に取り付けられた第一紐体１７０に引き下げられて、第一スライドファスナー１５６の下端部に移動する。
【００６１】
そして通気口１６０を閉鎖する場合は、第一スライドファスナー１５６の、持ち手１６０を上端部付近に移動させる。すると持ち手１６０に伴って第一紐体１７０が上側に移動し、通気用スライドファスナー１６２の開閉用スライダ１６４が左の端部１６２ａ付近に移動し、通気用スライドファスナー１６２を締め、通気口１６０を閉鎖し、通気を遮断する。なお、通気口５２１６０を半分占めたいときは、第二スライドファスナー１６６の持ち手１６８を、第二スライドファスナー１６６の途中でとめる。
【００６２】
この実施形態の寝袋１５４によれば、上半身付近に設けられた持ち手１６０，１６８を移動させて簡単に通気口１６０を開閉することができる。通気口１６０は、足側に位置し手が届きにくい場所に設けられているが、持ち手１６０，１６８は第一紐体１７０、第二紐体１７２で通気口１６０の通気用スライドファスナー１６２の開閉用スライダ１６４が連結されているため、遠隔操作が可能で、寝袋１５４に入ったまま、快適な通気量を調整することができる。
【００６３】
次に、この発明の第十一実施形態について図１３に基づいて説明する。この実施形態の摺動式調整具が取り付けられているものは靴１７３であり、靴１７３を形成する生地の、着用者のくるぶし付近に、スライドファスナー１７４が設けられている。スライドファスナー１７４はくるぶしからかかとに向かう傾斜した直線で設けられ、図示しない第一スライダと第二スライダが連結部材で連結されて設けられ、連結部材には操作用の持ち手１７５が取り付けられている。持ち手１７５は図示しない紐通し環が設けられ、紐通し環には靴１７３の着脱に使用する紐体である靴紐１７６が挿通されている。なお、スライドファスナー１７４は、片足につき内側と外側の２箇所のくるぶしに設けても、片方だけでもよい。
【００６４】
次にこの実施形態の靴１７３の使用方法について説明する。靴１７３は例えばスノーボード用であり、靴１７３をはくときは、図１３（ａ）に示すように持ち手１７５をスライドファスナー１７４のかかと側の端部１７４ａに位置させる。そしてスノーボードをはずして歩行する等ゆとりが必要な場合は、持ち手１７５をスライドファスナー１７４の足の甲側の端部１７４ｂに移動させる。すると、図１３（ｂ）に示すように、靴紐１７６が長くなり、ゆとりができる。再度スノーボードをはめて滑るときは、持ち手１７５をスライドファスナー１７４のかかと側の端部１７４ａに移動させる。
【００６５】
この実施形態の靴１７３によれば、靴紐１７６を結び直すことなく、簡単に緩めたりきつくしたり調整が可能であり、状況に合わせて適した強さに締め、快適にはくことができる。
【００６６】
次に、この発明の第十二実施形態について図１４に基づいて説明する。この実施形態の摺動式調整具が取り付けられているものは鞄１７８であり、鞄１７８は上方が開口されて取出口１８０となり、取出口１８０の、周縁部の互いに対向する二箇所に、肩掛け用の肩掛け紐１８２が両端部を取り付けて設けられている。肩掛け紐１８２の一方の端部１８２ａは、鞄１７８の側面に固定されている。肩掛け紐１８２の他方の端部１８２ｂは、鞄１７８の側面に設けられた図示しない挿通口により鞄１７８の裏面側に引き入れられている。
【００６７】
鞄１７８の側面を構成する生地には、スライドファスナー１８４が設けられている。スライドファスナー１８４は取出口１８０近傍に、取出口１８０に沿って直線で設けられている。スライドファスナー１８４には、図示しない第一スライダと第二スライダが連結部材で連結されて設けられ、連結部材には操作用の持ち手１８６が取り付けられている。持ち手１８６は肩掛け紐１８２の端部１８２ｂが連結されている。なお、持ち手１８６には、スライドファスナー１８４の任意の位置に係止される係止部材が設けられても良い。
【００６８】
次にこの実施形態の鞄１７８の使用方法について説明する。鞄１７８を肩から下げるために肩掛け紐１８２が充分な長さを必要とするときは、図１４（ａ）に示すように持ち手１８６をスライドファスナー１８４の図面上左側で肩掛け紐１８２の端部１８２ｂが鞄１７８の内側に引き入れられている挿通口側の端部１８４ａに位置させる。そして肩掛け紐１８２が不要または短くして使用する場合は、持ち手１８６をスライドファスナー１８４の反対の端部１８４ｂに移動させる。すると、図１４（ｂ）に示すように、肩掛け紐１８２の端部１８２ｂが鞄１７８の裏面側に引き入れられて、外側部分が短くなる。
【００６９】
この実施形態の鞄１７８によれば、持ち手１８６を移動させる簡単な操作で、肩掛け紐１８２が不要なときは鞄１７８の裏面側に肩掛け紐１８２を収納することができる。また、持ち手１８６に係止部材が設けられ、肩掛け紐１８２を任意の長さで確実に係止される。この場合は、肩掛け紐１８２を手に持って鞄１７８を運ぶ等、異なる使用方法ができる。これにより、内容物の重さや、使用する場所に合わせて適した使用方法を選択し、快適に使用することができる。
【００７０】
なお、この発明の摺動式調整具は、上記各実施の形態に限定されるものではなく、生地の種類は、繊維や樹脂シート、皮革または合成皮革等を含むものである。また、ファスナー以外に、レールとそのレールを摺動するスライダでもよく、また磁石などを利用してもよい。また、ファスナーのスライダは、第一スライダと第二スライダが連結部材で連結されて設けられ連結部材に持ち手が取り付けられたものに限定されず、第一スライダと第二スライダのいずれか一方か、または両方の機能を持つスライダでも良い。また、この発明の摺動式調整具を使用するものは、上記の衣服や帽子、寝袋以外のものにも利用することができる。
【図面の簡単な説明】
【００７１】
【図１】この発明の第一実施形態の摺動式調整具を取り付けたズボンの正面図（ａ）とズボンの裾部を上げた状態を示す正面図（ｂ）である。
【図２】この実施形態の摺動式調整具の表面側の斜視図（ａ）と裏面側の斜視図（ｂ）である。
【図３】この発明の第二実施形態の摺動式調整具を取り付けたズボンの正面図（ａ）とズボンのインナーカフを絞った状態を示す正面図（ｂ）である。
【図４】この発明の第三実施形態の摺動式調整具を取り付けたジャケットの正面図（ａ）と背面図（ｂ）である。
【図５】この発明の第四実施形態の摺動式調整具を取り付けたジャケットの正面図である。
【図６】この発明の第五実施形態の摺動式調整具を取り付けたジャケットの正面図（ａ）とジャケットのインナーカフを絞った状態を示す正面図（ｂ）である。
【図７】この発明の第六実施形態の摺動式調整具を取り付けたパスケースの正面図（ａ）とパスケースを収容した状態を示す正面図（ｂ）である。
【図８】この発明の第七実施形態の摺動式調整具を取り付けたポケットの正面図（ａ）とポケットを引き上げた状態を示す正面図（ｂ）である。
【図９】この実施形態の摺動式調整具を取り付けたポケットの縦断面図（ａ）とポケットを引き上げた状態を示す縦断面図（ｂ）である。
【図１０】この発明の第八実施形態の摺動式調整具を取り付けた帽子の正面図（ａ）と帽子を絞った状態を示す正面図（ｂ）である。
【図１１】この発明の第九実施形態の摺動式調整具を取り付けた帽子の正面図（ａ）と帽子のインナーカフを絞った状態を示す正面図（ｂ）である。
【図１２】この発明の第十実施形態の摺動式調整具を取り付けた寝袋の正面図（ａ）と寝袋の通気口を開けた状態を示す正面図（ｂ）である。
【図１３】この発明の第十一実施形態の摺動式調整具を取り付けた靴の斜視図（ａ）と靴の靴紐を緩めた状態を示す斜視図（ｂ）である。
【図１４】この発明の第十二実施形態の摺動式調整具を取り付けた鞄の正面図（ａ）と鞄の肩掛け紐を短くした状態を示す正面図（ｂ）である。
【符号の説明】
【００７２】
１０  ズボン
１１  生地
１２  スライドファスナー
１４  エレメント
１６  第一スライダ
２２  第二スライダ
２６  連結部材
２８  持ち手
３０  紐体
３２  裾部
【図１】
2005344228.tif 000003
【図２】
2005344228.tif 000004
【図３】
2005344228.tif 000005
【図４】
2005344228.tif 000006
【図５】
2005344228.tif 000007
【図６】
2005344228.tif 000008
【図７】
2005344228.tif 000009
【図８】
2005344228.tif 000010
【図９】
2005344228.tif 000011
【図１０】
2005344228.tif 000012
【図１１】
2005344228.tif 000013
【図１２】
2005344228.tif 000014
【図１３】
2005344228.tif 000015
【図１４】
2005344228.tif 000016